(57)【要約】  本発明による遥動システムは、第１の遥動重りを備え、第１の遥動重りは、回転するように動かされる。第１の遥動重りは、回転するように動かされるとき、接続ポイントの周りを遥動する。場合によっては、遥動システムは、動力ユニットと第１のプレートを更に含み、第１の遥動重りは、一点で第１のプレートに接続され、第１の遥動重りは、一点の周りを遥動し、動力ユニットは、第１のプレートの回転運動を生じさせる。更にいくつかの場合、遥動システムは更に、遥動システムの両反対側端部に接続され、動力ユニットの作動により回転する２枚のプレートを有する。【選択図】  図１Ａ
2013540556.tif 000002
【特許請求の範囲】
【請求項１】
遥動システムであって、第１の遥動重りを備え、
前記第１の遥動重りは、回転するように動かされ、
前記第１の遥動重りは、回転するように動かされるとき、接続ポイントの周りを遥動する、
遥動システム。
【請求項２】
動力ユニットと第１のプレートを更に有し、
前記第１の遥動重りは、一点で前記第１のプレートに接続され、
前記第１の遥動重りは、前記一点の周りを遥動し、
前記動力ユニットは、前記第１のプレートの回転運動を生じさせる、
請求項１に記載の遥動システム。 
【請求項３】
遥動システムの両反対側端部に接続され、前記動力ユニットの作動により回転する２枚のプレートと、
前記２枚のプレートの回転運動のための動力を提供するように作動する動力ユニットと、
２つの遥動重りと、を更に有し、
前記２つの遥動重りの各々の重りは、前記２枚のプレートの各々のプレートに対して各一つの接続ポイントで接続され、
前記２枚のプレートが回転するとき、前記２つの遥動重りの各々の重りは、前記各一つの接続ポイントの周りを遥動する、
請求項１に記載の遥動システム。
【請求項４】
第１の端部と第２の端部を有するシャフトを更に有し、
前記２枚のプレートのうちの一方のプレートが前記第１の端部に接続され、前記２枚のプレートのうちのもう一方のプレートが前記第２の端部に接続されている、
請求項３に記載の遥動システム。
【請求項５】
前記２つの遥動重りの遥動を制限するために、前記２枚のプレートの各々に接続された制限ユニットを更に有する、請求項３に記載の遥動システム。
【請求項６】
前記２枚のプレートの各々は、２つの方向において前記２つの遥動重りの遥動を制限するための２つの制限ユニットを有する、請求項５に記載の遥動システム。
【請求項７】
前記２枚のプレートの各々に接続された２つのバランス構造であって、遥動システムが操作されるとき、前記２つの遥動重りのバランスを保ち、該２つの遥動重りをそれらの開始位置に戻す２つのバランス構造を更に有する、
請求項３に記載の遥動システム。
【請求項８】
前記バランス構造は、バネである、請求項７に記載の遥動システム。
【請求項９】
遥動システムは、ケースに入れられる、請求項１に記載の遥動システム。
【請求項１０】
遥動システムは、ダンベルの内部で作動する、請求項９に記載の遥動システム。
【請求項１１】
遥動システムは、プッシュアップバーの内部で作動する、請求項９に記載の遥動システム。
【請求項１２】
遥動システムは、ペダルの内部で作動する、請求項９に記載の遥動システム。
【請求項１３】
前記２枚のプレートの回転運動を制御するためのコントロールユニットを更に有する、請求項３に記載の遥動システム。
【請求項１４】
前記コントロールユニットは更に、前記２枚のプレートが回転する方向を制御する、請求項１３に記載の遥動システム。
【請求項１５】
遥動システムが回転するときに前記第１の遥動重りが動く螺旋経路を更に含む、請求項１に記載の遥動システム。
【請求項１６】
遥動システムは、ユーザーによる遥動システムの操作に応じて回転する、請求項１５に記載の遥動システム。
【請求項１７】
遥動システムは、前記螺旋経路を回転させるために動作するモーターに従い回転する、請求項１５に記載の遥動システム。
【発明の詳細な説明】
【技術分野】
【０００１】
本発明は概ね、フィットネス装置に関し、より具体的には、重り装置に関する。
【背景技術】
【０００２】
ダンベルは従来からあるウェイトトレーニン装置であり、体力増強や容姿向上のために、ウェイトトレーニングや運動プログラムの一部として、ボディービルダーその他の人々に長い間用いられてきた。そのようなダンベルは典型的には円筒状の握りハンドルを有し、握りハンドルはその両反対側端部に一対の重り板を備える。重り板は、握りハンドルの両端部に接続される。
【発明の概要】
【発明が解決しようとする課題】
【０００３】
ダンベルのユーザーは、筋肉を増強するために、何度も動作を行う。多くの場合、その動作はダンベルを持ち上げては下げるというように、単調なやり方で一つの筋肉に働き掛けるという、型にはまったものである。
【課題を解決するための手段】
【０００４】
本発明による遥動システムは、第１の遥動重りを備え、第１の遥動重りは、回転するように動かされる。第１の遥動重りは、回転するように動かされるとき、接続ポイントの周りを遥動する。
場合によっては、遥動システムは、動力ユニットと第１のプレートを更に含み、第１の遥動重りは、一点で第１のプレートに接続され、第１の遥動重りは、一点の周りを遥動し、動力ユニットは、第１のプレートの回転運動を生じさせる。
【０００５】
場合によっては、遥動システムは更に、遥動システムの両反対側端部に接続され、動力ユニットの作動により回転する２枚のプレートと、２枚のプレートの回転運動のための動力を提供するように作動する動力ユニットと、２つの遥動重りを有する。２つの遥動重りの各々の重りは、２枚のプレートの各々のプレートに一つの接続ポイントで接続され、２枚のプレートが回転するとき、２つの遥動重りの各々の重りは各一つの接続ポイントの周りを遥動する。
【０００６】
場合によっては、遥動システムは、第１の端部と第２の端部を有するシャフトを更に有し、２枚のプレートのうちの一方のプレートが第１の端部に接続され、２枚のプレートのうちのもう一方のプレートが第２の端部に接続される。
場合によっては、遥動システムは、２つの遥動重りの遥動を制限するために２枚のプレートのそれぞれに接続された制限ユニットを更に有する。場合によっては、２枚のプレートの各々は、２つの方向において２つの遥動重りの遥動を制限するための２つの制限ユニットを有する。
【０００７】
場合によっては、遥動システムは、２枚のプレートの各々に接続された２つのバランス構造であって、遥動システムが操作されるとき、２つの遥動重りのバランスを保ち、２つの遥動重りをそれらの開始位置に戻す２つのバランス構造を更に有する。場合によっては、バランス構造は、バネである。
場合によっては、遥動システムはケースに入れられる。遥動システムは、ダンベル、プッシュアップバー、ペダル、その他のどのような体力トレーニング装置の内部で作動するものとしても良い。
【０００８】
場合によっては、遥動システムは、２枚のプレートの回転運動を制御するためのコントロールユニットを更に有する。場合によっては、コントロールユニットは更に、２枚のプレートが回転する方向を制御する。
場合によっては、遥動システムは、遥動システムが回転するときに第１の遥動重りが動く螺旋経路を更に含む。場合によっては、遥動システムは、ユーザーによる遥動システムの操作に応じて回転する。場合によっては、遥動システムは、螺旋経路を回転させるために動作するモーターに従い回転する。
【図面の簡単な説明】
【０００９】
図と併せて、実施形態の以下の記述を参照して、開示される本発明の例示的かつ非限定的な実施形態を記述する。図は概して正確な縮尺で表示されてはおらず、いかなる寸法も単に例示的なものとして意図されており、制限的なものとは限らない。対応の、または類似の要素を同じ数字または文字で示す場合がある。
【図１】図１Ａおよび図１Ｂは、本発明のいくつかの例示的な実施形態に係る運動用重りを遥動させる遥動システムを表す。
【図２】図２Ａおよび図２Ｂは、本発明のいくつかの例示的な実施形態に係るアクチュエータ式遥動システムを表す。
【図３】図３Ａおよび図３Ｂは、本発明のいくつかの例示的な実施形態に係るダンベル内部で作動する遥動システムを表す。
【図４】図４Ａおよび図４Ｂは、本発明のいくつかの例示的な実施形態に係る遥動システムを有するダンベルの斜視切断図を示す。
【図５】図５は、本発明のいくつかの例示的な実施形態に係る遥動システムをユーザーが操作したときに発生する重りの追加的な動きを表す略図である。
【図６】図６Ａおよび図６Ｂは、本発明のいくつかの例示的な実施形態に係る螺旋内に位置する重りを有する螺旋形の遥動システムを表す。
【図７】図７は遥動システムを取り付けた構造の様々な実施形態を表す。
【発明を実施するための形態】
【００１０】
開示される本発明は、個人のトレーニング用の重り装置を提供する。重り装置はケトルベル、ダンベル、重りベルト装置であっても良く、あるいは、重りまたは追加的重りとして、例えばチェストプレス運動装置、レッグプレス等のトレーニング装置に内蔵されるものであっても良い。開示される本発明の遥動システムは、少なくとも１つの重りを含む。場合によっては、遥動システムを含む装置のデザインに応じて、重り装置は、２つの遥動重り、すなわち、第１の遥動重りと第２の遥動重りを有する。例えば、開示される本発明のダンベル装置は、ダンベル装置の両反対側に位置する第１の遥動重りと第２の遥動重りを有する。第１の遥動重りと第２の遥動重りは、シャフトの周りを回転するように動く。こうして、ダンベル装置やその他の任意の運動装置、例えば、ユーザーが重りを押したり、押さえ付けたり、持ち上げたり等の操作を行う運動装置において、ユーザーに加えられる追加の力を生み出す。
【００１１】
第１の遥動重りと第２の遥動重りは同じ重さでも異なる重さでも良く、１〜５０００ｇの遥動重りを有することで、開示された本発明の遥動システムを有するダンベルのユーザーに加えられる力を変化させるものであっても良い。遥動システムの少なくとも１つの重りの寸法と重さは、ダンベル装置の重さの関数となっていても良く、例えば、ダンベル装置の重さの１２パーセントである。適合性またはユーザーの要求に応じて、遥動重りは取り替え可能であっても良い。第１の遥動重りと第２の遥動重りは互いに整列していても良く、あるいは、互いに角度を成していても良い。
【００１２】
図１Ａおよび図１Ｂは、本発明の複数の実施形態による運動用重りを遥動させるための遥動システムを表す。遥動システムは、図１Ａの第１の側面図１００および図１Ｂの第２の側面図１０１により示される。
図１Ａの第１の側面図１００において、遥動システムは動力ユニット１０２を有し、動力ユニット１０２は第１の遥動重り１１１と第２の遥動重り１１９の運動を生ずるのに用いられる。動力ユニット１０２は、エンジン、モーターであって良く、バッテリー等、当業者が望むどのような動力源を有するものとしても良い。
【００１３】
動力ユニット１０２は、第１の遥動重り１１１と第２の遥動重りをつなぐシャフト１０５の運動を生じさせるものとしても良い。第１の遥動重り１１１と第２の遥動重り１１９は、シャフト１０５の両反対側に位置している。動力ユニット１０２には、シャフト１０５を回転するために、ウォーム歯車１０３と平歯車１０４が取りつけられていても良い。いくつかの例示的な場合には、ウォーム歯車１０３は平歯車１０４を回転する。平歯車１０４がシャフト１０５に取り付けられ、平歯車１０４の回転がシャフト１０５の回転を生じさせる。そしてシャフト１０５は第１のプレート１０８と第２のプレート１１６を回転させる。第１の遥動重り１１１と第２の遥動重りは、第１のプレート１０８と第２プレート１１６上にそれぞれ搭載されていても良い。
【００１４】
いくつかの例示的な場合には、シャフト１０５は第１のベアリング１０７と第２のベアリング１０６に接続されているか、あるいは、それらを有する。第１のベアリング１０７と第２のベアリング１０６は、シャフト１０５をケース（図示せず）から分離することにより、遥動システムがケース内で実質的に自由に回転できるようにする。第１のベアリング１０７と第２のベアリング１０６は、遥動システム１００、１０１が一旦ケースに入れられると摩擦を低減するように構成されている。
【００１５】
第１の遥動重り１１１と第２の遥動重りは、シャフト１０５周りを回転する。いくつかの例示的な場合には、第１の遥動重り１１１と第２の遥動重り１１９の各々の重りは、コネクタによりプレートに接続されている。プレートの回転運動に加えて、各々の重りは、遥動ハウジングの周りを遥動する。第１の遥動重り１１１は、第１の遥動ハウジング１１０の周りを遥動することによって回転する。第１の遥動ハウジング１１０は、第１のコネクタ１０９により第１のプレート１０８に接続され、第１のコネクタ１０９は、第１の遥動ハウジング１１０に接続されている。
【００１６】
第１の遥動重り１１１は、第１の遥動ハウジング１１０内に収容されていても良く、第１の遥動ハウジング１１０の確実な接続により、第１のプレート１０８に対して相対的に遥動する。第２の図１０１は、第２プレート１１６と第２のコネクタ１１７を示す。第２のコネクタ１１７は、第２の遥動ハウジング１１８に接続されている。第２の遥動重り１１９は、第２の遥動ハウジング１１８内に収容されている。こうして、第２の遥動重り１１９が第２の遥動ハウジング１１８に取り付けられつつ、第２のプレート１１６の周りを相対的に遥動する。
【００１７】
いくつかの例示的な場合には、第１の側面図１００の遥動システムは、バランス構造を更に含む。バランス構造は、第１の遥動ハウジング１１０の第１の尖り部１１２と、第１のプレート１０８の第１の止め部１１４の間につながれる第１のバネ１１３を有していても良い。第１の止め部１１４は、第１のバネ１１３を第１のプレート１０８に接続する。遥動システムが動かされるとき、第１のバネ１１３は第１の遥動重り１１１をバランスさせるのに用いられ、第１の遥動重り１１１を、図示する開始位置に戻すようにする。
【００１８】
第２の側面図１０１も、第２のバネ１２１として形成されるバランス構造を表す。第２のバネ１２１は、第２の遥動ハウジング１１８の第２の尖り部１２０と、第２のプレート１１６の第２の止め部１２２の間につながれる。第２の止め部１２２は、第２のバネ１２１を第２のプレート１１６に接続する。第２のバネ１２１は、遥動システムが動かされるときに第２の遥動重り１１９をバランスさせるのに用いられ、第２の遥動重り１１９を、図中に示す開始位置に戻すようにする。 
【００１９】
いくつかの例示的な場合には、第１の側面図１００の遥動システムは、制限部材を更に含む。制限部材は、第１の遥動ハウジング１１０と第２の遥動ハウジング１１８周りの、第１の遥動重り１１１及び第２の遥動重り１１９の遥動運動を制限するのに用いられる。そのような例示的な場合には、第１のプレート１０８は、第１の制限ユニット１１５と第２の制限ユニット（図示せず）を更に含み、第１のプレート１０８の回転中、第１のプレート１０８に対する第１の遥動重り１１１の遥動を制限する。同様に、第２のプレート１１６は、第３の制限ユニット１２３と第４の制限突起（図示せず）を更に含み、第２のプレート１１６の回転中、第２のプレート１１６に対する第２の遥動重り１１９の遥動を制限する。
【００２０】
いくつかの例示的な場合には、遥動システムは、振動エンジンを更に含む。振動エンジンは、非平衡重り１２５が接続された振動モーター１２４を含んでも良い。第２のモーター１２４は、遥動システムのハウジングとはめ合わされている。振動モーター１２４は、上述の遥動システムが生み出す遥動に対して振動を加える。
【００２１】
図２Ａおよび図２Ｂは、本発明の複数の例示的実施形態によるアクチュエータ式の遥動システムを示す。図２Ａに示す第１の回転２０１により、遥動システムは第１の方向２０２に回転する。図２Ｂに示す第２の回転２２４により、遥動システムは第２の方向２１３に回転する。
本実施形態において、回転源（図示せず）は、第１のプレート２０３の第１のシャフト接続部２０４に接続されている。様々な回転源（例えばモーター、エンジン、その他）を、第１のシャフトの回転のために用いることができる。いくつかの例示的な場合には、回転源は、第１のプレートと第２のプレートを回転させるのに用いられる。このような場合、シャフトは使われず、ダンベルは、２つの別々の遥動システムを有する。
【００２２】
第１のプレート２０３が回転するとき、第１の遥動重り２０５は第１の遥動ハウジング２０６周りを回転する。第１の遥動ハウジング２０６は、第１のコネクタ２０７により第１のプレート２０３に接続されている。 
第１のプレート２０３の第１の回転方向２０２により、第１の遥動重り２０５は、第１の制限ユニット２０８に向かって、方向２０２と反対の方向に遥動する。第１のバネ２０９は、第１の遥動ハウジング２０６の第１の尖り部２１０と、第１のプレート２０３の第１の止め部２１１の間につながれている。第１のプレート２０３の回転により生み出される回転力が第１のバネ２０９の引張り力より大きい限り、第１のバネ２０９は第１の遥動ハウジング２０６をその静止位置（図１中に示す）に引き戻すことができない。
【００２３】
第１の遥動重り２０５がその静止位置（図１中に示す）からずれる相対的な距離は、回転方向２０２、回転力と第１のバネ２０９の引張り力との関係、および、第１の制限ユニット２０８の位置により決定される。第２の制限ユニット２１２は、第１のプレート２０３が方向２０２と反対向きに回転する時、第１の遥動ハウジング２０６を制限する。
図２Ｂに示す第２の回転２２４により、第２のプレート２１４は、第２の方向２１３に回転し、第２の遥動重り２１６は、第２の遥動ハウジング２１７周りを遥動する。第２の遥動ハウジング２１７は、第２のコネクタ２１８により第２のプレート２１４に接続されている。
【００２４】
第２のプレート２１４の第２の方向２１３により、第２の遥動重り２１６は、第３の制限ユニット２１９に向かって、方向２１３と反対の方向に遥動する。第２のバネ２２１は、第２の遥動ハウジング２１７の第２の尖り部２２０と、第２のプレート２１４の第２の止め部２２２の間につながれている。第２のプレート２１４の回転により生み出される回転力が第２のバネ２２１の引張り力より強い限り、第２のバネ２２１は第２の遥動ハウジング２１７をその静止位置（図１中に示す）に引き戻すことができない。
【００２５】
第２の遥動重り２１６がその静止位置（図１中に示す）からずれる相対的な距離は、回転方向２１３、および、回転力と第２のバネ２２１の引張り力との関係によって決定され、第３の制限ユニット２１９に制限される。第４の制限ユニット２２３は、プレートが第２の方向２１３と反対向きに回転するとき、第２の遥動ハウジング２１７を制限する。
各プレートは、両方の方向２０２/２１３に回転させることができる。図１で示すように両方のプレートがつながれる場合、両方のプレートは同じ方向に回転する。逆転システムを含むようにして、反対方向に各々のプレートを回転させることもできる。
【００２６】
図３Ａおよび図３Ｂは、本発明のいくつかの実施形態に係る、ダンベル内部で作動する遥動システムを表す。
図３Ａに示すダンベルの第１の図３００は、コントロールユニット３０２を含むダンベルハウジングを示す。コントロールユニット３０２は、遥動システムの好ましい設定、例えば、回転方向、ＲＰＭ（１分間当たりの回転数）、振動源の作動、タイマー、その他の運動特性を制御する。図３Ｂに示すダンベルの第２の図３０１は、動力源３０３を示す。図３Ｂの実施形態において、動力源３０３は、一つまたは複数のバッテリーである。動力源３０３は充電式であってもよく、充電用インレット（はめ込み口）、取り外し可能なバッテリー、その他を有しても良い。
【００２７】
図４Ａおよび図４Ｂは、本発明のいくつかの実施形態による遥動システムを有するダンベルの斜視切断図である。図４Ａの第１の側面図４００は、シャフト４３０の両反対側端部上の２枚のプレート４１０、４２０を表す。シャフト４３０が回転するとき、プレート４２０に接続された重り４４０は、重り４４０とシャフト４３０の間の一点の接続部の周りを遥動する。制御ユニット４５０は、シャフト４３０の運動を制御しても良い。バッテリー４６０、４６２、４６４は、ダンベルに内蔵される。第１のサイドケース４７０と第２のサイドケース４８０は、プレート４１０、４２０を収容するために用いられる。ミドルケース４９０は、シャフト４３０をカバーする。ケース４７０、４８０、４９０は、一体のユニットまたは構造であっても良い。同様に、図４Ｂの第２の側面図４０１は、シャフト４３１の両反対側端部上の２枚のプレート４１１、４２１を表す。シャフト４３１が回転するとき、プレート４２１に接続された重り４４１は、重り４４１とシャフト４３１の間の一点の接続部の周りを遥動する。第１のサイドケース４７１と第２のサイドケース４８１は、プレート４１１、４２１を収容するために用いられる。ミドルケース４９１は、シャフト４３１をカバーする。ケース４７１、４８１、４９１は、一体のユニットまたは構造であっても良い。
【００２８】
第１の側面図４００と第２の側面図４０１から分かるように、遥動システムは、ダンベル内部に収まる。こうして、遥動システムが作動されると、遥動システムは遥動運動をダンベルのユーザーに加え、運動中のユーザーに加えられる力を変化させる。追加的な重りをダンベルハウジングに足すことで、より重いダンベルを作ることができる。
【００２９】
図５は、本発明のいくつかの実施形態による遥動システムをユーザーが操作した時に発生する重りの追加的な動きを表す略図である。
本発明の遥動システムを有するダンベルのユーザーは、ダンベルを第１の場所５００から第２の場所５０１まで動かし、逆も同様に行う。遥動システムが作動した状態での重りの遥動運動は、遥動システムのユーザーに加えられる追加的な力をもたらす。追加的な力の方向は、螺旋状方向となる遥動運動５０２により示される。 
【００３０】
図６Ａおよび図６Ｂは、本発明のいくつかの典型的な実施形態に係る、螺旋内に位置する重りを有する螺旋形の遥動システムを表す。図６Ａにおいて、遥動システム６００は、第１の方向６０１に回転する。第１の方向６０１は、反時計回りであっても良い。遥動システム６００は、遥動システムに接続されたシャフトが回転するときに重りが動く螺旋経路を有する。重り６０３は、螺旋６０２の第１の端部に位置する。重り６０３の寸法によっては、螺旋６０２の第２の端部は螺旋６０２の中心に向かう。螺旋は、シャフト（図示せず）と無関係に、モーターにより回転しても良い。コネクタ６０４は、遥動システム６００をダンベルに接続する。
【００３１】
第１の螺旋６０２の第１の端部において発生する遥動は、図６Ｂ中に示される第２の図６０５で発生する遥動より強い。第２の図６０５は、第２の螺旋６０７の第２の端部にある重り６０８を示す。回転螺旋６０７は、螺旋をダンベルに接続する第２のコネクタ６０９に接続されている。回転螺旋６０７は、モーター（図示せず）または別の動力ユニットを用いて、螺旋に沿って第２の遥動重り６０８を滑らせる。
各々の螺旋端部は、固定システム（例えば磁石、すき間、摩擦面等）を有して、螺旋の回転の間、重りの位置決めを行うようにしても良い。前出の各図に示すように、遥動システムの本実施形態は、運動用重りに付属されていても良い。
【００３２】
図７は遥動システムを取り付けた構造の様々な実施形態を表し、スナップ式７０１、ケトルベル７０２、片側ダンベル７０３、手のひら用重り７０４を含む。
重りを有する各構造およびその他の運動用システムを、上記の遥動システムと一緒に運動用に用いることができる。遥動システムは、ユーザーの足によって動かされる様々な装置（例えば自転車ペダル、スクワットペダル等）に埋め込んでも良い。重り無しで使われる場合であっても、遥動システムをプッシュアップバーに埋め込んでも良い。そのようなプッシュアップバーは、ユーザーの要望や運動プランに応じて、１つまたは２つの遥動重りを有しても良く、ある場合には、２つより多い遥動重りを有しても良い。
【００３３】
例示的な実施形態を参照して本発明を説明したが、本発明の要旨を逸脱しない範囲で様々な変更が可能であり、各要素を等価物に置き換え可能であることは、当業者であれば容易に理解できるであろう。加えて、本発明の要旨を逸脱しない範囲で、特定の状況や材料を教示の内容に適合させるため、多くの修正を行っても良い。したがって、開示された本発明は、本発明を実行するために考えられる最良の態様として開示された特定の実施形態に限定されず、次に続く請求の範囲のみにより限定される。
【図１Ａ】
2013540556.tif 000003
【図１Ｂ】
2013540556.tif 000004
【図２Ａ】
2013540556.tif 000005
【図２Ｂ】
2013540556.tif 000006
【図３Ａ】
2013540556.tif 000007
【図３Ｂ】
2013540556.tif 000008
【図４Ａ】
2013540556.tif 000009
【図４Ｂ】
2013540556.tif 000010
【図５】
2013540556.tif 000011
【図６Ａ】
2013540556.tif 000012
【図６Ｂ】
2013540556.tif 000013
【図７】
2013540556.tif 000014
【国際調査報告】
2013540556.tif 000015